(57)【要約】【課題】人体や環境に対する安性が高い材料から構成され、優れた腐食防止機能とスケール防止機能を併せ有する水処理剤であって、排水面への影響から使用量の低減するこちおができる水処理剤を提供する。【解決手段】糖酸とＤ−グルシトールの混合物であって、糖酸とＤ−グルシトールとの組成重量比は糖酸が５〜９５％の範囲であり、ポリマレイン酸を添加した水処理剤であり、糖酸とＤ−グルシトールの混合物にポリマレイン酸を添加したボイラ水系に用いる水処理剤であって、ポリマレイン酸は１０〜３００ｍｇ／Ｌの範囲で添加した水処理剤である。【特許請求の範囲】
【請求項１】
糖酸とＤ−グルシトールの混合物であって、糖酸とＤ−グルシトールとの組成重量比は糖酸が５〜９５％の範囲であることを特徴とする水処理剤。
【請求項２】
前記混合物にポリマレイン酸及びその誘導体を添加したことを特徴とする請求項１に記載の水処理剤。
【請求項３】
糖酸とＤ−グルシトールの混合物であって、糖酸とＤ−グルシトールとの組成重量比は糖酸が１０〜９０％の範囲とし、これにポリマレイン酸及びその誘導体を添加してボイラ水系に用いることを特徴とする水処理剤。
【請求項４】
前記ポリマレイン酸及びその誘導体は１０〜３００ｍｇ／Ｌの範囲で添加したことを特徴とする請求項２および請求項３に記載の水処理剤。
【発明の詳細な説明】
【０００１】
【発明の属する技術分野】
本発明は、冷却暖房水系、ボイラ水系において、鉄系の腐食防止とスケールの付着防止とに関する水処理の技術分野に属する。
【０００２】
【従来の技術】
従来より、冷却暖房水系やボイラ水系においては、水と接触する鉄等の配管や伝熱面で、腐食やスケール障害が発生していた。
冷却暖房水系やボイラ水系においては、大気と接触する循環水を省資源の目的で高濃縮状態で運転するため、溶解している塩類も濃縮され、腐食が発生したり、配管や伝熱面に難溶性の塩がスケールとして析出したりしていた。
【０００３】
配管内の腐食については、一般的に利用される軟水中に、腐食性イオンといわれる塩化物イオン、硫酸イオンも除去されず存在しているので、これらの物質は、ボイラ水中で濃縮され腐食起因物質である溶存酸素とともにボイラ缶体の鉄を腐食する障害が発生している。これらの障害を除去するためには、一般に「脱酸素法」、「防食皮膜形成法」、「電位法」などが知られており、脱酸素法には亜硫酸塩、ブドウ糖などの糖類やヒドラジンなどの脱酸素剤が、主として使用されてきたが、これらの脱酸素剤中にはヒドラジンのように毒性が極めて強い物質や、或いは、ブドウ糖などのように、分解して劇物に指定されているホルムアルデヒドを初めとしてギ酸やアセトアルデヒドなど十数種類もの有害成分が生成される場合があるので、ヒドラジンなどの有害物質を生成する脱酸素剤の使用は避けなければならない。
これら以外の脱酸素剤を使用するものとしては、水系内酸素の補足剤として、例えば、特許文献１としてグリコヘプトン酸やそのナトリウム塩を使用すること、また、例えば、特許文献２としてグルコン酸を使用することが知られているが、脱酸素剤を用いる場合には、供給水の溶存酸素濃度に応じた投入量を決定しなければならいが、その測定に手間を要し、供給水の溶存酸素濃度は温度などの外的環境を考慮しなければならないという厄介な問題があった。
腐食防止のため、本発明者らは、防食皮膜形成法として、特許文献３として、炭素数４〜９の水溶性直鎖状単糖類又は水溶性直鎖状単糖類の塩又はエステルとしての誘導体であり、その糖類の分子構成の末端が−ＯＨ基又は−ＣＯＯＨ基であるか又は−ＯＨ基と−ＣＯＯＨ基を共有するものであるか又は−ＯＨ基と−ＣＯＯＨ基との混合体であり、且つ分子構造の中に−ＣＯ結合を含まないボイラ−用不変色性防食剤を提供した。
【０００４】
一方、配管内のスケールについては、様々な難溶性の塩が析出するが、特によく見られる成分には、炭酸カルシウムなどの硬度分系スケール、シリカ系スケール、鉄系スケールなどがある。スケールが付着すると熱効率の低下や配管の閉塞など重大な障害をもたらす。
また、一般的に利用されている軟水利用のボイラ水では、工業用水及び地下水等の原水を軟水用イオン交換樹脂を利用し溶存硬度分を除去した軟水を補給水として使用しているが、このとき交換されないシリカ分や交換されずに残った硬度分は、ボイラ運転時にスケールとして給水内管やボイラ缶体に析出してスケール障害が発生する。これらのスケール障害を防止するためにマレイン酸系、アクリル酸系、ホスホン酸系等高分子分散剤を使用していた。
【０００５】
【特許文献１】
特開平６−２５８７５号公報
【特許文献２】
欧州特許出願公開第２７２８８７号明細書
【特許文献３】
特開平６−２４９８８０号公報
【０００６】
【発明が解決しようとする課題】
しかしながら、特許文献３で開示された防食皮膜形成剤は、糖類を使用してアルカリ水溶液において褐色に変色しないことで、人体や環境に対する安性が高いものとしたが、使用量が少なくなく、排水面への影響も考慮すると、安全性や経済性から使用量を削減しなければならないとうい問題点があった。
また、冷却水系やボイラ水系では、防食剤とスケール防止剤という組み合わせで運転していることから、それぞれの水処理剤を管理し、その適量を調整して添加しなければならないという問題点があった。
本発明は、上記の問題点に鑑みてなされたもので、その課題は、人体や環境に対する安性が高い材料から構成され、優れた腐食防止機能とスケール防止機能を併せ有する水処理剤であって、排水面への影響から使用量の低減することができる水処理剤を提供することにある。
【０００７】
【課題を解決するための手段】
上記の課題を解決するために、請求項１の発明は、糖酸とＤ−グルシトールの混合物であって、糖酸とＤ−グルシトールとの組成重量比は糖酸が５〜９５％の範囲であることを特徴とする水処理剤である。
請求項２の発明は、前記混合物にポリマレイン酸及びその誘導体を添加したことを特徴とする請求項１に記載の水処理剤である。
請求項３の発明は、糖酸とＤ−グルシトールの混合物であって、糖酸とＤ−グルシトールとの組成重量比は糖酸が１０〜９０％の範囲とし、これにポリマレイン酸及びその誘導体を添加してボイラ水系に用いることを特徴とする水処理剤である。
請求項４の発明は、前記ポリマレイン酸及びその誘導体が１０〜３００ｍｇ／Ｌの範囲で添加したことを特徴とする請求項２および請求項３に記載の水処理剤である。
【０００８】
本発明らは、防食機能を有する水処理剤の原料として、安全性を配慮して食品添加物、または、それに相当する安全性が知られている物質である糖酸が存在することを見出したが、さらに、糖酸とＤ−グルシトールとを混合したものが、糖酸単体よりも冷却水系やボイラ水系の腐食防止機能をより向上させ、さらに、スケール防止機能を有しており、この水処理剤が腐食防止機能とスケール防止機能の両機能用を併せ達成できることを見出したことに基づき本発明に想到した。
加うるに、糖酸とＤ−グルシトールとを混合したものに、分散機能を有するものと考えられるポリマレイン酸を添加することによって、腐食防止が向上しスケール防止機能も飛躍的に向上し、より少量水処理剤の使用で冷却水系やボイラ水系の腐食防止やスケール防止を達成できることをも見出し、本発明に想到したものである。
【０００９】
以下、具体的に本発明の実施例について説明する。
［実施例１］
本発明の第１の実施例は、糖酸とＤ−グルシトールの混合により、腐食防止機能を高めた水処理剤で、糖酸の単体で使用したよりも腐食防止機能を高めたこと、また、スケール防止を有することを見い出し、両機能を有する水処理剤である。
実施例１は、防食剤原料としては安全性の高い糖酸とＤ−グルシトールを用い、両者の混合物にしたもので、この両者を混合した水処理剤は糖酸やＤ−グルシトールの単体よりも防食機能が向上するものである。このことを、図１の［表１］、および、図２の［グラフ１］に沿って説明する。
図１の［表１］、および、図２の［グラフ１］は、テストピースとしては、鉄の材質のＳＳ−４００で、大きさは２．０ｍｍ×１５ｍｍ×３０ｍｍである市販品を使用し、腐食試験を行う容器は５００ｍＬのフッ素樹脂容器を用い、この容器に室温の地下水３００ｍＬを加え、鉄腐食調査用テストピースＳＳ−４００に対する腐食速度を、糖とＤ−グルシトールの濃度の合計を１×１０−３ｍｏｌ／Ｌに調整して行い、図１の［表１］の左２列に表示するように、何も添加しない状態、糖酸の単体の添加した状態、糖酸とＤ−グルシトールの重量比を変えて添加した状態、Ｄ−グルシトールの単体を添加した状態とし、この地下水をスターラーで攪拌し、連続１０日間実験を行い、その結果を示したものである。なお、腐食速度のｍｄｄは、腐食して損出した金属のｍｇ／１  ｄｍ２（＝１００  ｃｍ２）／１  ｄａｙである。
【００１０】
ここで、図１の［表１］における腐食抑制率は、何も添加していない場合の腐食速度１９ｍｄｄに対する各実験での腐食速度が下がった値の％とした。
また、スケール付着量としては、試験後テストピースを軽く水洗し、水分を除去後デシケーターで一晩乾燥後重量を測定し、次にテストピースを酸洗して付着物を除去後水洗、乾燥させ再びテストピースの重量測定し、両者の重量差をスケール付着量とし、表面積あたりに換算したもので、単位は（ｍｇ／ｃｍ２／１０日）である。
ここで、スケール抑制率としては、何も添加していない場合のスケール付着量２５ｍｇに対する各実験でのスケール付着量が減った値の％とした。
この結果の図２の［グラフ１］から、実施例１においては、糖酸及びＤ−グルシトールそれぞれの単独薬品の場合と比較すると、糖酸対Ｄ−グルシトール組成比（以下単に「糖酸組成比」という）５〜９５％の範囲では腐食抑制率は、糖酸単独（糖酸組成比１００％）の場合より１５％向上し、Ｄ−グルシトール単独（糖酸組成比０％）の場合より５％向上する。そして、使用に際して好ましくは、糖酸組成比２０〜９０％の範囲においては腐食抑制率は更に向上し、更に好ましくは、糖酸組成比６０〜８０％の範囲においては更に向上し、最も好ましくは糖酸組成比７０％前後であって、糖酸単独の場合より３６％、Ｄ−グルシトール単独の場合より２６％も向上する。
【００１１】
また、スケール抑制率も、［表１］および［グラフ１］の何も添加しない場合に比べて、４〜１６％に向上するが、糖酸組成比５〜９５％の範囲でも腐食抑制率が向上するともに、スケール抑制率も４〜１２％に向上し、糖酸組成比１０〜８０％の範囲でも、スケール抑制率が８〜１２％に更に向上する。
なお、糖酸と類似のものとして、酒石酸、アルギン酸、ポリアクリル酸及びこれらの塩あるいは誘導体などが考えられるが、同等の作用を有するものであればこれらに変えてもよく、また、Ｄ−グルシトールと類似のものとしては、グリセリン、エリトリトール、アラビトール、リビトール、フコース、ガラクトチトール、ソルビトール、ペプチトール、オクチトール、ポリエチレングリコール、ポリオキシプロピレングリコール及びそれぞれの誘導体などが考えられるが、同等の作用を有するものであればこれらに変えてもよい。
【００１２】
［実施例２］
次に、本発明者らは、冷却暖房水系やボイラ水系では、スケール防止やスラッジ分散のため一般に水処理剤として高分子分散剤を使用することがあり、実施例１の糖酸及びＤ−グルシトールの混合物の水処理剤に、ポリマレイン酸系の高分子分散剤を加えれば、スケール防止機能が向上すのるのではないかと考え本発明に想到した。
（１）実験例１
まず、ポリマレイン酸の適量を調べるために、ポリマレイン酸の添加量を変えて、適量の範囲を確定した。この実験においては、前述した実施例１おける糖酸及びＤ−グルシトールの適値の範囲のである糖酸組成４０％を選択し、分散剤濃度を０〜５００ｍｇ／Ｌの範囲で防食抑制率とスケール抑制率を調べ、評価の１指標として腐食抑制率とスケール抑制率とを加算して総合評価とし、この腐食抑制率（％）＋スケール抑制率（％）として表したのが図３の［表２］である。
この図３の［表２］から、分散剤であるポリマレイン酸が１０〜３００ｍｇ／Ｌの範囲で、防食抑制率とスケール抑制率が向上し適当であることが判る。
【００１３】
（２）実験例２
次に、分散剤であるポリマレイン酸と、実施例１における糖酸及びＤ−グルシトールの混合物の組成変化との関係を調べたが、この結果意外な事実を把握した。
前記の（１）での実験条件に基づき、ポリマレイン酸の添加量を確定するが、防食抑制率とスケール抑制率が向上する１０〜３００ｍｇ／Ｌの範囲で、なるべく使用する量が少ない２０ｍｇ／Ｌのポリマレイン酸の添加によって行った。
すなわち、本発明の第２実施例は、糖酸及びＤ−グルシトールの混合物にポリマレイン酸を添加したものであるが、分散剤であるポリマレイン酸は市販品を用いて２０ｍｇ／Ｌの濃度になるよう添加し、糖酸及びＤ−グルシトールまたはその混合物の添加量は１００ｍｇ／Ｌとした。なお、特に限定のない場合は、実施例１での実験条件と同じである。
この実験結果を図４の［表３］と、図５の［グラフ２」に示すが、スケール抑制率は実施例１に比較して、実施例１での最大値であるＤ−グルシトール単独での抑制率１６％よりも、実施例２では全域に亘って少なくとも２倍以上に向上し、糖酸４０％付近では実施例１での８％が、実施例２の表３では７０％の８．８倍にも向上し、且つ、腐食抑制率についても、糖酸単体で腐食抑制率４２％よりも糖酸組成１０％〜４０％の範囲では実施例１よりも確実に向上している。
なお、本実施例では、スケール分散剤としてポリマレイン酸を使用したが、ポリマレイン酸及びその誘導体でもよく、ポリカルボキシエチルホスフィン酸、ポリアクリル酸と誘導体などを用いてもよい。
以上のように実施例２においては、糖酸とＤ−グルシトールとを混合した水処理剤にポリマレイン酸及びその誘導体を添加すると、スケール抑制率は飛躍的に向上し、腐食抑制率も向上する。
【００１４】
（３）実験例３
更に、高温水のボイラ条件に近づけるため、模擬ボイラ水を作成し、環流温度１００℃で連続１０日間循環し、腐食速度とスケール付着量を同時に調査した。なお、ボイラ水系の高温水は通常約８０〜２５０℃の範囲であるが、この範囲での１０日間循環での腐食速度とスケール付着量は１００℃での環流実験から推定できるので、実験が容易な１００℃での模擬ボイラ水とした。
模擬ボイラ水の組成は、  酸消費量（ｐＨ４．８）３００（ｍｇＣａＣＯ３／Ｌ），塩化物イオン濃度５００（ｍｇＣｌ−／Ｌ）、シリカ３００（ｍｇＳｉＯ２／Ｌ）、全鉄（５ｍｇＦｅ／Ｌ）、硫酸イオン（５００ｍｇＳＯ４２−／Ｌ）、電気伝導率５０（ｍＳ／ｍ）、ｐＨ約１０．５とし、効果とは評価の１指標として腐食抑制率（％）＋スケール抑制率（％）とし、結果を図６の［表４］、および、図７の［グラフ３」に示す。
図７の［グラフ３］から腐食抑制効果は、糖酸組成比が１０〜９０％で効果が向上した。
このように、前述した室温での実施例２のスケール抑制率と腐食抑制率の向上は、高温においても同じ傾向であることが判り、特に、ボイラ条件の高温水の環境では、糖酸及びＤ−グルシトール単体の場合よりも全域に亘って、スケール抑制率と腐食抑制率が格段に向上したことが判り、特に、実施例１に比較して、糖酸組成２０％の前後では糖酸単独の場合の腐食抑制率５３％よりも、実に腐食抑制率１００％となり４７％も向上したことが判る。
したがって、実施例２の水処理剤において、糖酸とＤ−グルシトールとの組成重量比は糖酸が１０〜９０％の範囲ではスケール抑制と腐食抑制の機能を併せ持ちながら、その機能が向上しており、室温状態では勿論のこと、特に、高温水を用いるボイラに使用するのが最適であることが判る。
【００１５】
（４）実験例４
実施例１の糖酸及びＤ−グルシトールの混合物に清缶剤として一般的な添加比でアルカリ剤、分散剤  、防食剤（糖酸４０％−Ｄ−グルシトール）を純水に添加して作り、軟水への添加量を１００ｍｇ／Ｌにして実験ボイラにより、約２００℃−１．５６８Ｍｐａ、１０倍濃縮、１０％ブロー、１００時間連続運転の結果、腐食速度５ｍｄｄ、スケール、スラッジなしという良好な結果が得られた。
【００１６】
なお、本発明の特徴を阻害しない限りにおいて、上記の実施例に限定されないことは勿論であり、例えば、この発明の効果を阻害しない限りにおいて、リン酸塩、重合リン酸塩、ホスホン酸塩、ピロリン酸塩、リン酸エステル、アミン類（例えば、ヒドラジン、モルホリン、オクタデシルアミン、ジェチルアミノエタノール、シクロヘキシルアミン、プロパノールアミン、アミノエタノール、ジエチルヒドロキシアミン、アミノプロパノールアミン）、亜硫酸塩、モリブデン酸塩、塩素系殺菌剤、有機窒素系殺菌剤、亜硝酸塩、無機アルカリ剤、高分子分散剤などの物質を適宜併用してもよい。
【００１７】
【発明の効果】
以上説明したように、本発明によれば、糖酸とＤ−グルシトールとは、食品添加物またはそれに相当する安全性が知られている物質であるから、水処理剤としても安全性が高く、また、糖酸とＤ−グルシトールとを混合したことにより、糖酸やＤ−グルシトールの単体よりも冷却暖房水系やボイラ水系の腐食防止機能をより向上するという効果を奏し、さらに、スケール防止機能をも併せ有していることから、予め混合組成比を決めて調整おけば単一の処理剤で済むことから、防食剤とスケール防止剤の配合調整する必要がなく、管理が容易となるとという効果を奏し、更に、ポリマレイン酸及びその誘導体を添加することによって腐食防止が向上し、スケール防止機能も飛躍的に向上するという効果を奏し、室温では勿論のこと、特に、ボイラ系などの高温水の環境においては腐食防止機能とスケール防止機能がより向上するという効果を奏する。
【図面の簡単な説明】
【図１】本発明の実施例１において、糖酸とＤ−グルシトールの混合比に対する腐食抑制率とスケール抑制率の［表１］の図である。
【図２】図１の［表１］を［グラフ１］として表した図である。
【図３】本発明の実施例２において、ポリマレイン酸の添加量の変化に対応する腐食抑制率とスケール抑制率の［表２］の図である。
【図４】本発明の実施例２において、ポリマレイン酸を添加した場合の糖酸とＤ−グルシトールの混合比に対する腐食抑制率とスケール抑制率の［表３］の図である
【図５】図４の［表３］を［グラフ２］として表した図である。
【図６】本発明の実施例２において、高温水の環境でのポリマレイン酸の添加量の変化に対応する腐食抑制率とスケール抑制率の［表４］の図である。
【図７】図６の［表４］を［グラフ３］として表した図である。
【図１】
2004321907.tif 000002
【図２】
2004321907.tif 000003
【図３】
2004321907.tif 000004
【図４】
2004321907.tif 000005
【図５】
2004321907.tif 000006
【図６】
2004321907.tif 000007
【図７】
2004321907.tif 000008
【手続補正書】
【提出日】平成15年5月6日(2003.5.6)
【手続補正１】
【補正対象書類名】明細書
【補正対象項目名】０００６
【補正方法】変更
【補正の内容】
【０００６】
【発明が解決しようとする課題】
しかしながら、特許文献３で開示された防食皮膜形成剤は、糖類を使用してアルカリ水溶液において褐色に変色しないことで、人体や環境に対する安性が高いものとしたが、使用量が少なくなく、排水面への影響も考慮すると、安全性や経済性から使用量を削減しなければならないとうい問題点があった。
また、冷却水系やボイラ水系では、防食剤とスケール防止剤という組み合わせで運転していることから、それぞれの水処理剤を管理し、その適量を調整して添加しなければならないという問題点があった。
本発明は、上記の問題点に鑑みてなされたもので、その課題は、人体や環境に対する安性が高い材料から構成され、優れた腐食防止機能とスケール防止機能を併せ有する水処理剤であって、排水面への影響から使用量を低減することができる水処理剤を提供することにある。


【手続補正２】
【補正対象書類名】明細書
【補正対象項目名】０００８
【補正方法】変更
【補正の内容】
【０００８】
本発明者らは、防食機能を有する水処理剤の原料として、安全性を配慮して食品添加物、または、それに相当する安全性が知られている物質である糖酸が存在することを見出したが、さらに、糖酸とＤ−グルシトールとを混合したものが、糖酸単体よりも冷却水系やボイラ水系の腐食防止機能をより向上させ、さらに、スケール防止機能を有しており、この水処理剤が腐食防止機能とスケール防止機能の両機能用を併せ達成できることを見出したことに基づき本発明に想到した。加うるに、糖酸とＤ−グルシトールとを混合したものに、分散機能を有するものと考えられるポリマレイン酸を添加することによって、腐食防止が向上しスケール防止機能も飛躍的に向上し、より少量の水処理剤の使用で冷却水系やボイラ水系の腐食防止やスケール防止を達成できることをも見出し、本発明に想到したものである。


【手続補正３】
【補正対象書類名】明細書
【補正対象項目名】００１１
【補正方法】変更
【補正の内容】
【００１１】
また、スケール抑制率も、［表１］および［グラフ１］の何も添加しない場合に比べて、４〜１６％に向上するが、糖酸組成比５〜９５％の範囲でも腐食抑制率が向上するとともに、スケール抑制率も４〜１２％に向上し、糖酸組成比１０〜８０％の範囲でも、スケール抑制率が８〜１２％に更に向上する。
なお、糖酸と類似のものとして、酒石酸、アルギン酸、ポリアクリル酸及びこれらの塩、あるいは誘導体などが考えられるが、同等の作用を有するものであればこれらに変えてもよく、また、Ｄ−グルシトールと類似のものとしては、グリセリン、エリトリトール、アラビトール、リビトール、フコース、ガラクトチトール、ソルビトール、ペプチトール、オクチトール、ポリエチレングリコール、ポリオキシプロピレングリコール及びそれぞれの誘導体などが考えられるが、同等の作用を有するものであればこれらに変えてもよい。


【手続補正４】
【補正対象書類名】明細書
【補正対象項目名】００１２
【補正方法】変更
【補正の内容】
【００１２】
［実施例２］
次に、本発明者らは、冷却暖房水系やボイラ水系では、スケール防止やスラッジ分散のため一般に水処理剤として高分子分散剤を使用することがあり、実施例１の糖酸及びＤ−グルシトールの混合物の水処理剤に、ポリマレイン酸系の高分子分散剤を加えれば、スケール防止機能が向上すのるのではないかと考え本発明に想到した。
（１）実験例１
まず、ポリマレイン酸の適量を調べるために、ポリマレイン酸の添加量を変えて、適量の範囲を確定した。この実験においては、前述した実施例１における糖酸及びＤ−グルシトールの適値の範囲である糖酸組成４０％を選択し、分散剤濃度を０〜５００ｍｇ／Ｌの範囲で防食抑制率とスケール抑制率を調べ、評価の１指標として腐食抑制率とスケール抑制率とを加算して総合評価とし、この腐食抑制率（％）＋スケール抑制率（％）として表したのが図３の［表２］である。
この図３の［表２］から、分散剤であるポリマレイン酸が１０〜３００ｍｇ／Ｌの範囲で、防食抑制率とスケール抑制率が向上し適当であることが判る。


【手続補正５】
【補正対象書類名】明細書
【補正対象項目名】００１７
【補正方法】変更
【補正の内容】
【００１７】
【発明の効果】
以上説明したように、本発明によれば、糖酸とＤ−グルシトールとは、食品添加物またはそれに相当する安全性が知られている物質であるから、水処理剤としても安全性が高く、また、糖酸とＤ−グルシトールとを混合したことにより、糖酸やＤ−グルシトールの単体よりも冷却暖房水系やボイラ水系の腐食防止機能をより向上するという効果を奏し、さらに、スケール防止機能をも併せ有していることから、予め混合組成比を決めて調整おけば単一の処理剤で済むことから、防食剤とスケール防止剤の配合調整する必要がなく、管理が容易となるという効果を奏し、更に、ポリマレイン酸及びその誘導体を添加することによって腐食防止が向上し、スケール防止機能も飛躍的に向上するという効果を奏し、室温では勿論のこと、特に、ボイラ系などの高温水の環境においては腐食防止機能とスケール防止機能がより向上するという効果を奏する。